(57)【要約】【課題】海外から持ち込まれた外国コインを日本国内で使用できるポイントに変換できる自動交換システムを提供する。【解決手段】投入された外貨コインを選別して集計する外貨コイン・ポイント交換機及び交換機とネットワークを介して接続される外貨コイン・ポイント交換センターからなり、該外貨コイン・ポイント交換センターには、上記外貨コイン・ポイント交換機からのデータを受信し、換算ＴＢＬ・ＤＢのデータを用いて、上記外貨の集計値に相当するポイント数を算出し、該算出したポイント数を顧客対応のファイルを有するポイントＤＢに格納すると共に、上記ポイント数データを前記外貨コイン・ポイント交換機に返送して前記新たに格納されたポイント数を顧客に提示するサーバを有する。【選択図】図１
2010146304.tif 000002
【特許請求の範囲】
【請求項１】
投入された外貨コインを選別して集計する外貨コイン・ポイント交換機及び該交換機とネットワークを介して接続される外貨コイン・ポイント交換センターからなり、該外貨コイン・ポイント交換センターには、上記外貨コイン・ポイント交換機からのデータを受信し、換算ＴＢＬ・ＤＢのデータを用いて、上記外貨の集計値に相当するポイント数を算出し、該算出したポイント数を顧客対応のファイルを有するポイントＤＢに格納すると共に、該ポイント数データを前記外貨コイン・ポイント交換機に返送して上記格納された新たなポイント数を顧客に提示するサーバを有することを特徴とする外貨コインのポイントへの交換システム。
【請求項２】
前記格納されたポイントを用いて、各種ポイント・サービスが受けられるポイント・サービス機能をさらに有することを特徴とする前記請求項１記載の外貨コインのポイントへの交換システム。
【請求項３】
前記外貨コイン・ポイント交換機は、前記交換されたポイント数を２次元コードの形で印字出力する出力機構をさらに有することを特徴とする前記請求項１、または２記載の外貨コインのポイントへの交換システム。
【請求項４】
前記２次元コードの形で印字出力されたポイント出力カードには、ＵＲＬ、発行端末情報、及び獲得ポイント数が２次元コードとして印字され、顧客は該ポイント出力カードの２次元コードを携帯電話で読み取らせることにより、自動的に外貨コイン・ポイント交換センターに接続し、前記獲得ポイント数を顧客対応のファイルを有するポイントＤＢに格納することを特徴とする前記請求項３記載の外貨コインのポイントへの交換システム。
【発明の詳細な説明】
【技術分野】
【０００１】
本発明は、外国旅行等で入手した外貨コインを帰国後国内で使用できる販促ポイント等に交換するシステムに関する。
【背景技術】
【０００２】
出張とか、観光目的で海外に渡航する人は、年々増えている。このような海外渡航者は、会話が不自由な場合紙幣を使っておつりを貰うことが多く、しかし、お釣りで貰ったコインはやはり処理方法が分からず、あまり使い道がないので大量に余って国内に持ち帰り、死蔵されることが多い。このような外貨コインが何らかの方法で国内でも使えるようになると便利である。もちろん、銀行に持ち込めば外貨預金として預金することは可能であるが、その場合外貨口座が必要であり、面倒なので多くはそのまま死蔵されることが多い。
【０００３】
一方、コインは、法的には、日本国内では貨幣ではなく単なる「物品」として扱われる。
【０００４】
しかし、上記のように、従来このように海外から持ち込まれた外国通貨の使い道はなく、せいぜいゴルフのグリーン上のマーカとして使われる程度でしかなかった。
【発明の開示】
【発明が解決しようとする課題】
【０００５】
本発明は、前記のように、海外から持ち込まれた外国コインを日本国内で使用できる店舗等の販促ポイントや飛行機会社のマイレージ等に変換できる自動交換システムを提供することを目的とする。
【課題を解決するための手段】
【０００６】
上記目的を達成するために、この発明の外貨コインのポイントへの交換システムは、投入された外貨コインを選別して集計する外貨コイン・ポイント交換機及び該交換機とネットワークを介して接続される外貨コイン・ポイント交換センターからなり、該外貨コイン・ポイント交換センターには、上記外貨コイン・ポイント交換機からのデータを受信し、換算ＴＢＬ・ＤＢのデータを用いて、上記外貨の集計値に相当するポイント数を算出し、該算出したポイント数を顧客対応のファイルを有するポイントＤＢに格納すると共に、該ポイント数データを前記外貨コイン・ポイント交換機に返送して上記格納された新たなポイント数を顧客に提示するサーバを有することを特徴とする。
【０００７】
さらに、前記格納されたポイントを用いて、各種ポイント・サービスが受けられるポイント・サービス機能をさらに有することを特徴とする。
【０００８】
またさらに、前記外貨コイン・ポイント交換機は、前記交換されたポイント数を２次元コードの形で印字出力する出力機構をさらに有することを特徴とする。
【０００９】
またさらに、前記２次元コードの形で印字出力されたポイント出力カードには、ＵＲＬ、発行端末情報、及び獲得ポイント数が２次元コードとして印字され、顧客は該ポイント出力カードの２次元コードを携帯電話で読み取らせることにより、自動的に外貨コイン・ポイント交換センターに接続し、前記獲得ポイント数を顧客対応のファイルを有するポイントＤＢに格納することを特徴とする。
【発明の効果】
【００１０】
以上の説明から明らかなように、本発明によれば、従来死蔵されていた海外からの用い帰り外貨コインの有効利用が図られるので、通貨流通が促進される効果がある。また、利用者にとっても、再度同じ国に旅行しない限り、ゴルフのマーカ程度しか利用価値のない外貨コインをポイントに変換することにより、各種サービスに用いることができるので、利用者の利便性も高い。
【発明を実施するための最良の形態】
【００１１】
以下、本発明の実施の形態を図面に基づいて説明する。
【００１２】
図１に、本発明の外貨コインのポイントへの交換システムの全体概念図を示す。
【００１３】
管理運用会社１は、顧客（利用者）２の会員登録後、後述する外貨コイン・ポイント交換機を介してプロセス４に示すように、顧客の外貨コインを運用会社１の運用するポイントに変換する。
【００１４】
変換したポイントは、顧客別に顧客ＩＤのデータベースに格納され、後日顧客２は、該ＤＢ上のポイント残高に応じて、サービス提供箇所３において各種ポイントサービス６を受けることができる。このようなサービスには、よく知られたように、商品との引き換えや商品購入時の値引き、あるいは航空会社のマイレージ・サービス等が提供される。また、管理運用会社１とサービス提供箇所（店舗や企業等）３の間には、ポイント消費に伴う各種データのやりとり５が生じるが、この仕組みは周知の技術なので、詳細は省略する。
【００１５】
図２は、これらを総合した本発明の外貨コイン・ポイント交換システムのフローを説明する図である。なお、具体的なフローチャートが、図６，図７に示される。
１．まず、メンバーエントリーを行い、メンバー登録を行う。
２．端末にＡＰ（アプリケーション・プログラム）がダウンロードされる。
【００１６】
なお、カードの場合、顧客にカードが送付される。
３．利用者は、本人認証後（図６のＳ１〜Ｓ６）、外貨コイン・ポイント交換機に不要となった外貨コインを投入する（図６のＳ７）。
４．投入された外貨コインは選別され、その外貨での集計結果が管理・運用会社のサーバに送られる（図６のＳ８〜Ｓ９）。
５．サーバでは、後述する換算ＴＢＬ・ＤＢを用いて、該集計された外貨の総計を円に換算し、該円に換算された総額が、ポイントＤＢの換算レートに従ってポイント数を算出し、ポイントに変換される（図７のＳ１１〜Ｓ１３）。
６．該変換されたポイント数は、ポイントＤＢの顧客ファイルのポイント数を更新する（Ｓ１４）と共に、取得されたポイント数を前記外貨コイン・ポイント交換機に返送され（Ｓ１５）、顧客にはレセプトの形で知らされる（Ｓ１８）。
７．ポイント・サービスを受ける時は、サービス提供場所で、メンバーの本人確認の後、各種サービスを受け、ポイントが決済される。
【００１７】
図３に上記メンバー登録のイメージ図を示す。メンバー登録自体は、従来周知の処理なので、詳細は省略する。メンバー登録によりメンバーＩＤが付与され、顧客ＤＢに該ＩＤ用のファイルが作られると共に、顧客端末１０には、本発明の外貨コイン・ポイント交換サービスを受けるための専用アプリケーション・ソフトがダウンロードされる。
【００１８】
図４には、外貨コインとポイント交換のさらに詳細な説明図を示す。海外から帰国した旅行者等が国内まで持ち帰った外貨コインは、空港内やホテル内等に設置されている外貨コイン−ポイント変換装置２０を用いてポイントに変換される。
【００１９】
その仕組みは、以下のとおりである。なお、これらは、相互に図８に示されるようなネットワークで接続される。
【００２０】
まず、本人端末から本人認証を行い、顧客ＤＢ２１により本人確認がなされると、上記外貨コイン２５を上記外貨コイン−ポイント変換装置２０に投入する。該コインは外貨コイン−ポイント変換装置２０の中で選別され、投入されたコインの総額が集計されて、該集計値が管理・運用会社内のサーバに送られる。該サーバでは、その時の外貨と円の換算レートを換算ＴＢＬ・ＤＢ２２から読み込み、該換算レートに基づき、前記集計値を円換算する。該円換算の集計値は、ポイントに換算され、ポイントＤＢ２３に記憶されると共に外貨コイン−ポイント変換装置２０に返送される。処理が完了すると、顧客対応のポイント数が更新されると共に、前記外貨コイン−ポイント変換装置２０からはレセプト２６が確認のため出力される。
【００２１】
なお、該外貨は、金融機関に外貨として、あるいは交換後の円として預金されるようにしてもよい。また、上記外貨−円の換算レートは日々変動するので、毎日提供される日銀の為替レートにより日々更新されることが望ましい。また、前記外貨コインは、円を介さず直接ポイントに変換されてもよい。
【００２２】
上記顧客端末は、主に携帯電話が用いられるが、ＩＣカード等の前記アプリケーション・ソフトの格納できる媒体であれば、何でも使用できる。
【００２３】
処理は、主に外貨コイン−ポイント変換装置２０やサーバー側で行われ、基本的にＡＳＰ処理となっている。
【００２４】
処理される外貨は、世界中の外貨を扱うことはコイン選別器の性能やコストを考えると現実的ではない。当面は、国別に対応し、将来はできれば主要数カ国を同じ外貨コイン−ポイント変換装置２０で処理できることが望ましい。
【００２５】
図５には、上記取得されたポイントの利用方法が説明される。ポイントの利用システムは、従来周知であり、詳細な説明は省略する。
（他の実施例）
前記第１の実施例においては、携帯電話機またはＩＣカード等により、本人識別を行って、事前に登録されている顧客本人のポイントＤＢにポイントを加算する方式となっているが、他の実施例においては、外貨コイン−ポイント変換装置２０でのポイント変換を上記端末やカード無しで可能となる方式を提案する。
【００２６】
この実施例においては、外貨コインを投入すると、外貨コイン−ポイント変換装置２０からは、上記投入した外貨コインに相当するポイント数をＵＲＬや顧客ＩＤと共に２次元コード（ＱＲコード）で印字したカードが出てくる。なお、２次元コードは、２次元バーコード等でもよい。
【００２７】
図９には、この実施例の説明図を示す。図９において、外貨コインを投入すると、外貨コイン−ポイント変換装置５０からは、上記投入した外貨コインに相当するポイント数をＱＲコード５１で印字したカードが出てくる。ＱＲコード５１には、サイトアドレス、上記カードの発行端末番号、発行日時、ポイント数等の情報が入っている。なお、上記カード発行時には、上記カードの発行端末番号、発行日時、ポイント数等の情報が発行履歴データとして、図４のポイントＤＢ等に記録される。
【００２８】
利用者は、該カードに印刷されたＱＲコード５１を携帯電話等で読み取ると、サイトア
ドレス（ＵＲＬ）が表示され、該ＵＲＬをクリックしサイトに接続すると、ポイント管理サーバ５３において、上記ＱＲコード５１に埋め込まれたポイント数を該利用者の携帯電話番号に対応した顧客ＤＢのファイルにおけるポイント数に加算する（図９の５２）。
【００２９】
なお、このＱＲコードで印字したカードは、発行時に暗号化され、上記カード情報を上記サーバが受信した時解読されるので、偽物のカードは排除される。
【００３０】
このように、利用者が該カードに印刷されたＱＲコードを携帯電話等で読み取ると、ＱＲコードに埋め込まれた前記管理センターのサイトに接続し、前記ＱＲカード用のファイルにアクセスし、該ＱＲカード用のファイルと照合すると共に、該ＱＲコードに埋め込まれたポイント数を該利用者の携帯電話番号に対応した顧客ＤＢのポイント数に加算する。なお、上記照合が完了した段階で、ＱＲカード用のファイルの該当する履歴管理データは処理済みとされ、消し込みが行われる。該消し込みにより、同じカードやカード・コピーによる二重登録が排除される。
【図面の簡単な説明】
【００３１】
【図１】本発明の外貨コインのポイントへの交換システム全体の概念図である。
【図２】本発明の外貨コインのポイントへの交換システムのさらに詳細なフローを示す図である。
【図３】メンバー登録の説明図である。
【図４】本発明の外貨コインのポイントへの交換の説明図である。
【図５】本発明のポイントを消費するときの説明図である。
【図６】本発明の外貨コイン・ポイント交換システムのフローチャートである。
【図７】図６に続く本発明の外貨コイン・ポイント交換システムのフローチャートである。
【図８】本発明の外貨コインのポイントへの交換システムのネットワークを示す図である。
【図９】本発明の外貨コインのポイントへの交換システムの他の実施例の説明図である。
【符号の説明】
【００３２】
１      管理・運用会社
２      顧客
３      サービス提供場所
１０      端末
１１      顧客ＤＢ
１２      ＡＰ・ＤＢ
２０      外貨コインのポイントへの交換機
２１      顧客ＤＢ
２２      換算ＴＢＬ
２３      ポイントＤＢ
５１      ＱＲコード
５３      ポイント管理サーバ
【図１】
2010146304.tif 000003
【図２】
2010146304.tif 000004
【図３】
2010146304.tif 000005
【図４】
2010146304.tif 000006
【図５】
2010146304.tif 000007
【図６】
2010146304.tif 000008
【図７】
2010146304.tif 000009
【図８】
2010146304.tif 000010
【図９】
2010146304.tif 000011